(57)【要約】【課題】ユーザー自らが情報提供シートを作成することができる情報提供シートの作成方法を提供すること。【解決手段】ドットコードｂが予めマトリックス状に印刷された情報提供シート１に可視情報ａを重ねて印刷する際、情報機器４は画面上に、上記可視情報ａを上記情報提供シート１上に印刷するためのフォーマットＳ１を表示し、該フォーマットＳ１の任意の位置に上記可視情報ａを印刷する印刷エリアｄを設定し、該印刷エリアｄ内に上記可視情報ａを配置するとともに、該可視情報ａに関連する画像情報、音声情報などのコンテンツデータと、該可視情報ａの下に印刷されているドットコードｂとを対応させ、その対応させた組み合わせをメモリ１４に記憶するとともに、印刷装置１２に上記情報提供シート１の印刷エリアｄと画面上の印刷エリアｄを対応させて可視情報ａを印刷させた。【選択図】図１
2007213352.tif 000002
【特許請求の範囲】
【請求項１】
情報提供シートに印刷されたドットコードをコード読取装置で読み取り、読み取ったドットコードに対応した画像や音声などの情報をパソコンなどの情報機器で出力する情報提供システムに使用される情報提供シートの作成方法であって、以下の要件を備えることを特徴とする情報提供シートの作成方法。
（イ）上記情報提供シートにはドットコードが予めマトリックス状に印刷されていること
（ロ）上記情報提供シートに可視情報を印刷する印刷装置は、上記ドットコードの上に可視情報を重ねて印刷すること
（ハ）上記情報機器は画面上に、上記可視情報を上記情報提供シート上に印刷するためのフォーマットを表示し、該フォーマットの任意の位置に上記可視情報を印刷する印刷エリアを設定し、該印刷エリア内に上記可視情報を配置するとともに、該可視情報に関連する画像情報、音声情報などのコンテンツデータと、該可視情報の下に印刷されているドットコードとを対応させ、その対応させた組み合わせをメモリに記憶すること
（ニ）上記情報機器は上記情報提供シートの印刷エリアと画面上の印刷エリアを対応させ、上記印刷装置で上記情報提供シートに可視情報を印刷させること
【請求項２】
前記ドットコードを赤外線を吸収するインクで印刷するとともに、可視情報を赤外線を透過させるインクで印刷し、前記コード読取装置が前記情報提供シートに赤外線を照射し、可視情報を透過した赤外線のうち、前記ドットコードに対応する赤外線は該ドットコードに吸収され、前記ドットコードに対応しない赤外線は上記情報提供シートの表面で反射し、その反射の有無で前記ドットコードの有無を読み取れるようにしたことを特徴とする請求項1記載の情報提供シートの作成方法。
【請求項３】
前記可視情報は手描きで作成することができる、請求項１記載及び２記載の情報提供シートの作成方法。
【発明の詳細な説明】
【技術分野】
【０００１】
本発明は、情報提供シートの作成方法、詳しくは予めドットコードが印刷されている情報提供シートに可視情報を印刷し、この可視情報に関連する情報をこの可視情報の下に印刷されているドットコードに対応させた情報提供シートの作成方法に関するものである。
【背景技術】
【０００２】
従来、情報を提供する情報提供システムにおいて、予め可視情報が印刷されている印刷物の上に可視情報に影響を与えないような細かなドットコードを可視情報にそれぞれ個別に設定したドットコードを重ねて印刷されているものが提案され、この印刷物のドットコードを読み取って可視情報に関連する情報を入手するシステムが本出願人より提案されている（例えば、特許文献１）。
【０００３】
このシステムは、本に印刷されている可視情報に関連する情報を可視情報に付加されたドットコードに基づいて記憶手段から読み出し音声や画像で入手することができるようにしたものである。
【特許文献１】特開２００５−３８２５２号公報
【発明の開示】
【発明が解決しようとする課題】
【０００４】
本発明が解決しようとする問題点は、上述のシステムで使用される印刷物は情報提供者が予め印刷したもので、ユーザーが目的に応じて自分で印刷物を作成できるものではない点であった。
【０００５】
本発明は、上記問題点を解決し、予めドットコードが印刷された印刷シートに後から文字や絵柄等の可視情報を印刷することができ、ユーザー自らが情報提供シートを作成することができる情報提供シートの作成方法を提供することを課題とする。
【課題を解決するための手段】
【０００６】
前記課題を解決するために本発明に係る情報提供シートの作成方法は、情報提供シートに印刷されたドットコードをコード読取装置で読み取り、読み取ったドットコードに対応した画像や音声などの情報をパソコンなどの情報機器で出力する情報提供システムに使用される情報提供シートの作成方法であって、以下の要件を備えることを特徴とする情報提供シートの作成方法。
（イ）上記情報提供シートにはドットコードが予めマトリックス状に印刷されていること
（ロ）上記情報提供シートに可視情報を印刷する印刷装置は、上記ドットコードの上に可視情報を重ねて印刷すること
（ハ）上記情報機器は画面上に、上記可視情報を上記情報提供シート上に印刷するためのフォーマットを表示し、該フォーマットの任意の位置に上記可視情報を印刷する印刷エリアを設定し、該印刷エリア内に上記可視情報を配置するとともに、該可視情報に関連する画像情報、音声情報などのコンテンツデータと、該可視情報の下に印刷されているドットコードとを対応させ、その対応させた組み合わせをメモリに記憶すること
（ニ）上記情報機器は上記情報提供シートの印刷エリアと画面上の印刷エリアを対応させ、上記印刷装置で上記情報提供シートに可視情報を印刷させること
なお、前記ドットコードを赤外線を吸収するインクで印刷するとともに、可視情報を赤外線を透過させるインクで印刷し、前記コード読取装置が前記情報提供シートに赤外線を照射し、可視情報を透過した赤外線のうち、前記ドットコードに対応する赤外線は該ドットコードに吸収され、前記ドットコードに対応しない赤外線は上記情報提供シートの表面で反射し、その反射の有無で前記ドットコードの有無を読み取れるようにすればよい。
【０００７】
そして、前記可視情報は手描きで作成するようにしてもよい。
【発明の効果】
【０００８】
請求項１の発明によれば、可視情報にそれぞれ個別のドットコードを対応させる必要がある従来の情報提供シートでは、情報提供シートの可視情報にドットコードを対応させる際、煩雑な割り付け作業が必要であるが、シート上にあらかじめマトリックス状にドットコードが配置されて印刷されている上に可視情報を重ねて印刷するため、煩雑な割り付け作業なしに情報提供シートを作成することができる。しかも、オフセット印刷でドットコードと可視情報の両方を印刷する場合は、利用者が限定される場合には採算上の理由でメーカーが情報提供シートの供給を躊躇したり、情報提供シートの価格が高価になってしまうが、シート上にあらかじめマトリックス状にドットコードが配置されて印刷されている規格品のシートにユーザー自身が自由にプリンタで可視情報を印刷するため少部数からの対応が可能となり、情報提供シートの利用範囲を無限に広げることができる。
【０００９】
請求項２の発明によれば、ドットコードを赤外線を吸収するインクで印刷し、可視情報を赤外線を透過させるインクで印刷することにより、ドットコードが可視情報に覆われて目視できない状態であっても、コード読取装置が赤外線を照射して、赤外線の反射の有無でドットコードを読み取るようにすれば、可視情報をドットコードの上から印刷してもコード読取装置がドットコードを読み取ることができる情報提供シートを作成することができる。
【００１０】
請求項３の発明によれば、可視情報を手描きで作成することができ、利用範囲の広い情報提供シートを作成することができる。
【発明を実施するための最良の形態】
【００１１】
図１は、本発明に係る情報提供シートを用いて利用者に音声や映像やネット情報など様々な情報を提供することができる情報提供システムの一例を示すもので、予めドットコードｂが印刷されている情報提供シート１に印刷された可視情報ａにコード読取装置２の先端をタッチさせることにより、可視情報ａの下に印刷されているドットコードｂを読み取り、読み取ったドットコードｂがコード読取装置２でデジタル信号に変換され信号ケーブル３を介して情報機器（例えば、パソコン）４に入力され、パソコン４から可視情報ａに関連するネット情報や、映像、音声が出力されるようになっているものである。
【００１２】
上記情報提供シート１は予めドットコードｂが全面に印刷されている印刷シート１０に可視情報ａを上から印刷したもので、このドットコードｂは視覚上の邪魔にならず、容易に視認できないような小さなドット（１インチ当たり３００本の線で構成されたマス目の交点にドットが配置）で構成されるとともに、６Ｘ５の２次元マトリックスコードを１つのデータ単位とし、印刷シート１０のほぼ全面を小さなセルｃに分割し（実際の印刷シート１０にはセルｃを表示するマス目は印刷されていない）、各セルｃ内には同じデータ単位（同じドットパターン）のドットコードｂがマトリックス状に印刷されているもので（図２参照）、このドットコードｂはヘッダ情報ｂ１とデータ情報ｂ２とから構成され、ヘッダ情報ｂ１はドットコードｂを他のドットコードｂと切り分ける情報を備え、データ情報ｂ２は可視情報ａを特定する情報を備えているもので、このドットコードｂは赤外線を吸収するインク（例えば、黒の油性インク）で印刷され、可視情報ａは赤外線をほとんど吸収しないインク（例えば、基本の色インク、すなわちシアン、マゼンダ、イエローの組合せ）でカラー印刷されていればよい。
【００１３】
コード読取装置２は、図３に示すように、赤外線を照射する光源５、導光体６ａと一体に形成されたレンズ６ｂ、フィルター７、画像センサー８及び、処理プログラムを内蔵したドットパターン認識ＣＰＵ９とからなるセンサユニットＵが収容され、光源５から導光体６ａを介して情報提供シート１に照射された赤外線は可視情報ａを透過し、透過した赤外線の一部はドットコードｂで吸収され、ドットコードｂのない部分に照射された赤外線は情報提供シート１の表面で反射するので、情報提供シート１で反射した反射光はレンズ６ｂで集光されフィルター７を通して画像センサー８に取り込まれてデジタル信号に変換され、変換されたデジタル信号はドットパターン認識ＣＰＵ９でデータ情報ｂ２からドットコードが解析され、そのドットコードｂを構成するドットの組合せをバイナリデータに変換してシリアルで情報機器４に出力するので、情報機器４では入力した数字コードに基づいてメモリから音声データ、文字データ、ネットアクセス情報等のコンテンツデータを読み出し、読み出したコンテンツデータは音声、画像、映像で可視情報に関連する情報としてユーザーに提供することができる。
【００１４】
上述の情報提供シート１は、予めドットコードｂが印刷された印刷シート１０に、文字や絵柄などの可視情報ａを後から印刷又は手描きで作成したもので、可視情報ａの下にプレプリントされているドットコードｂと可視情報ａに関連する映像、音声などの各種データとを関連付けておけば、ドットコードｂを読み取ることによりそのドットコードｂの上に形成されている可視情報ａに関連するデータが映像、音声などで情報機器４から入手することができるので、ユーザーが情報提供シート１を自由に作成することが可能になる。
【００１５】
次に、上述した情報提供シート１の作成方法の一例について説明する。この作成方法は、図４に示すように、パソコンなどの情報機器１１と、インクジェットプリンタなどの印刷装置１２とで情報提供シート１を作成することができるようにしたもので、予めドットコードｂが印刷されている印刷シート１０に、文字や絵柄などの可視情報ａを後から印刷して情報提供シート１を作成する際、ＣＰＵ１３は印刷シート１０に印刷した可視情報ａと印刷シート１０に予め印刷されているドットコードｂとを対応させ、可視情報ａに関連する情報とドットコードｂとを関連付けてメモリ１４に記憶させたものである。
【００１６】
上記印刷シート１０には、図５に示すように、マス目状の領域（以下セルという）ｃごとにデータ情報ｂ２のパターンが異なるドットコードｂがプレプリントされている（実際の印刷シートにはセルｃを表示するマス目は印刷されていない）。このドットコードｂは、視覚上の邪魔にならず、容易に視認できないような小さなドット（１インチ当たり３００本の線で構成されたマス目の交点にドットが配置）で構成されるとともに、６Ｘ５の２次元マトリックスコードを１つのデータ単位とし、シート１０上に２次元的に連続して赤外線を吸収するインク（例えば、黒の油性インク）でマトリックス状に印刷されているもので、このドットコードｂは、ヘッダ情報ｂ１とデータ情報ｂ２とから構成され、ヘッダ情報ｂ１はドットコードｂを他のドットコードｂと切り分けるためのもので、データ情報ｂ２は同一のセルｃ内は同一のドットパターンで構成され、データ情報ｂ２からセルｃが判断できるようになっている。
【００１７】
そして、この印刷シート１０に文字や絵柄などの可視情報ａを印刷や手描きで作成し、可視情報ａの下にプレプリントされているドットコードｂを読み取ることにより、可視情報ａの表示されている場所がわかり、この場所のドットコードｂに対応して設定されている可視情報ａに関するデータをメモリから読み出すことができるようになっているので、予め印刷されているドットコードｂと、そのドットコードｂの上に重ねて表示されている可視情報ａに関連する映像、音声情報などの提供情報をどのようにして関連付ければよいかを説明する。
【００１８】
先ず情報機器（例えば、パソコン）１１を起動して、図６に示すように、画面に表計算プログラムと同じようなマス目でセルｃが判読できるように形成されたフォーマット（以下、プリント編集シートという）Ｓ１を表示させ、表示させたプリント編集シートＳ１に文字、イラスト写真等の絵柄からなる可視情報（以下、イメージという）を貼り付ければよい。これをプリント編集と呼ぶ。
【００１９】
この貼り付けは、予め絵柄が記憶されているファイルから所望の絵柄を選択してプリント編集シートＳ１の任意の位置に貼り付けてもよいし、写真が記憶されているファイルから所望の写真を読み出して貼り付けてもよいし、キーボード１５から文字を入力しても構わない。
【００２０】
イメージａをプリント編集シートＳ１に貼り付けたら、イメージａが貼り付けられた所定領域(以下、印刷エリアという)ｄの役割を設定する。画面に各セルｃに番号が付与されたシート（以下、設定シートという）Ｓ２を表示させ、上記プリント編集シートＳ１上に貼り付けたイメージを設定シートＳ２上に表示させる（図７参照）。これをイメージ表示と呼ぶ。
【００２１】
イメージ表示をさせると、「プリント編集」で作成したイメージａが各セルの番号にオーバーレイして表示される（図７参照）。ここで、セル番号とイメージａとが重なった状態をプリンタ１２で印刷して、イメージとセル番号との関係を印刷物Ｐ１として記録しておく（図８参照）。
【００２２】
次に、この印刷物Ｐ１を見ながら、各イメージａに対応して役割の設定（音声ファイル、静止画ファイル、動画ファイルやホームページにアクセスするためのリンク設定）を行なう。
【００２３】
上記イメージａは多数のセルｃを含んだ印刷エリアｄ上に貼り付けられているので、イメージａに役割を設定するためには、イメージａを収容した印刷エリアｄを選択し、この印刷エリアｄの中のセルｃに役割を設定すればよい。
【００２４】
同一印刷エリアｄ内に存在する多数のセルｃには同じ役割を設定する必要があり、画面に各セルｃに番号が付与された設定シート（図７参照）を表示し、先程プリント編集で作成した画面を印刷した印刷物Ｐ１を参照しながらマウス１６やキーボード１５を操作してイメージａが含まれる印刷エリアｄを選択する。
【００２５】
その後、コンテンツを選択する画面を表示させ、コンテンツの種類（本発明では、日本語文章を音声で読み上げるテキストスピーチ、ＵＲＬ、動画、静止画、音声など）を選択し、コンテンツごとの表示情報（テキストスピーチならば文章、ＵＲＬの場合はアドレス（ｈｔｔｐ：／／ｗｗｗ．・・・・）、動画、静止画、音声の場合はファイル名）を入力し、設定を終了すると、メモリ１４のテーブルには各セルｃにプレプリントされているドットコードｂのコードデータに対応してコンテンツの表示情報が書き込まれ、画面上では選択した場所（印刷エリアｄ）のセルｃの色が変わって（例えば、テキストスピーチの場合は水色、ＵＲＬの場合はピンク色等）その場所の役割設定が完了したことが判るようになっている。
【００２６】
役割設定が完了したら、ドットパターンｂが印刷されている印刷シート１０にイメージａを印刷するが、印刷シート１０に予め印刷されているドットコードｂと、設定シートで表示されたセルｃとを対応させる必要があるので、印刷シート１０に予め印刷されているドットコードｂと、画面上の設定シートのセルｃとの位置合わせをしなければならない。このために、印刷シート１０にプリント編集シートのイメージａを印刷する前に、位置合わせシート２０にイメージａを印刷する。
【００２７】
位置合わせシート２０には予め基準枠２１が印刷されているので（図９（ａ）参照）、この位置合わせシート２０に位置あわせ枠２２の付与されたイメージａを印刷し、位置合わせシート２０にプレプリントされている基準枠２１と印刷された位置あわせ枠２２とのずれをチェックする（図９（ｂ）参照）。
【００２８】
基準枠２１と位置あわせ枠２２とがほぼ一致すれば、プリンタ１２への用紙の供給位置が正しく、印刷シート１０に予め印刷されているドットコードｂと、画面上の設定シートとが一致していると判断し、実際に使用する印刷シート１０をプリンタ１２にセットして、改めてイメージａを印刷をすればよい。
【００２９】
上記のようにしてドットコードｂがプレプリントされている印刷シート１０の上に可視情報ａを重ねて印刷することにより情報提供シート１を作成することができ、上述の情報提供システムで述べたように、赤外線を照射するコード読取装置で可視情報の表示された部分にタッチすることにより、可視情報ａの下に印刷されているドットコードｂを読み取ることができるので、ユーザーが情報提供シート１に可視情報ａをプリンタ１２で印刷し、この可視情報ａに関連した視覚情報、聴覚情報などのコンテンツデータをパソコン１１に作成しておけば、ユーザーのオリジナルの情報提供シート１を作ることができる。
【００３０】
例えば、言語に不自由なユーザーが情報提供シートを使用して相手にメッセージを伝えたい場合は、伝えたいメッセージに関連した可視情報を情報提供シート１０に印刷しておけば（図１０参照）、この可視情報にコード読取装置をタッチすることにより可視情報の下にプレプリントされているドットコードを読み取って、読み取ったドットコードのコードデータに対応してメモリに記憶されているコンテンツデータが読み出され、相手に伝えたい内容の視覚情報、聴覚情報がパソコン１１の画面に表示されるとともに音声が出力されるので、相手に自分の意思を容易に伝えることができる。
【００３１】
例えば、図１０に示すような、情報提供シート１のイメージａ１にタッチすれば、音声で「ごちそうさまでした」が出力され、手描きのイメージａ２にタッチすれば、画面に自分の顔が画面に表示され、音声で「こんにちは、私はＸＸＸＸです。どうぞヨロシク」が出力できるように、ユーザーオリジナルの情報提供シート１を作成することができ、従来の情報を提供するメーカーがユーザー向けに作成する情報提供シートではカバーできない肌理の細かい対応をすることができる。
【００３２】
なお、パソコンに作成したドットコードとコンテンツデータとを対比させたデータテーブルは図示しない記憶媒体に記憶させて他の情報機器（例えば、携帯可能なＰＤＡ等）にダウンロードすれば、情報提供シートを作成した情報機器以外でも使用することができるのは自明である。
【図面の簡単な説明】
【００３３】
【図１】本発明に係る情報提供シートを用いた情報提供システムの説明図
【図２】予めドットコードが印刷されている印刷シートの説明図
【図３】上記情報提供シート上のドットコードを読み取るコード読取装置の説明図
【図４】上記情報提供シートを作成する装置構成の説明図
【図５】上記印刷シート上のドットコードの説明図
【図６】プリント編集シートの説明図
【図７】設定シートにイメージを貼り付けた状態の説明図
【図８】イメージを貼り付けた設定シートを印刷した状態の説明図
【図９】（ａ）（ｂ）は位置あわせシート及びこの位置あわせシートにイメージを印刷した状態の説明図
【図１０】情報提供シートの一例を示す説明図
【符号の説明】
【００３４】
１    情報提供シート
２    コード読取装置
４    情報機器
１３    ＣＰＵ
１４    メモリ
ａ    可視情報
ｂ    ドットコード
ｃ    セル
ｄ    所定領域（印刷エリア）
Ｓ１    フォーマット（プリント編集シート）
【図１】
2007213352.tif 000003
【図２】
2007213352.tif 000004
【図３】
2007213352.tif 000005
【図４】
2007213352.tif 000006
【図５】
2007213352.tif 000007
【図６】
2007213352.tif 000008
【図７】
2007213352.tif 000009
【図８】
2007213352.tif 000010
【図９】
2007213352.tif 000011
【図１０】
2007213352.tif 000012